(57)【要約】【課題】車椅子乗用者が車椅子に乗ったままでもプールに容易に出入りすることができる昇降機を提供する。【解決手段】プール縁に凹所を設け、該凹所内にプール縁より車椅子を乗り入れることができる昇降床２を配置する。昇降床２には一側に観音開き状に開閉する出入口を設けると共に、両側にフェンス状の囲い３を設置する。上下のコロ５を縦設されるレール６に嵌合し、昇降可能に支持されるベース７は、無端状のチェーンよりなる索条８に連結され、減速機付きモータでスプロケット１１を回転駆動することにより索状８を正又は逆向きに循環駆動させてベース７にボルト１３にて高さ調整可能に連結される昇降床２を昇降させる。【選択図】図２
2005273356.tif 000002
【特許請求の範囲】
【請求項１】
プールに昇降可能に設置される昇降機であって、プールサイドに隣接して配置され、プールサイドから乗り込むことができる昇降床と、該昇降床をプールサイドからプール底まで、或いはプールに昇降可能に設置される可動床のレベルまで昇降させることのできる昇降手段を有することを特徴とするプール用昇降機。
【請求項２】
昇降床には、その周りに囲いを設け、囲いには少なくとも一箇所に開閉可能な出入口を設けたことを特徴とする請求項１記載のプール用昇降機。
【発明の詳細な説明】
【技術分野】
【０００１】
本発明は、プール或いは昇降可能な可動床を備えたプールに設置され、車椅子乗用者が車椅子に乗ったまま或いは身体障害者等の要介護者がプールに容易に入ることができるようにするための昇降機に関する。
【背景技術】
【０００２】
プールには一般に梯子が設置され、梯子を伝い降りることによってプールに入ることができるようになっている。階段が設置されているプールにおいても同様、階段を下りることによってプールに入ることができるが、車椅子乗用者は、梯子や階段を利用することができない。身体障害者等の要介護者も梯子や階段を利用する際には、付添い人の手助けを必要とする。プールにはまた、プールサイドからプール底に至るスロープを設けたものがあり、可動床を備えたプールでは、可動床を上昇させることによって車椅子乗用者や要介護者がプールサイドから可動床に容易に移ることができるが、可動床を上昇させる際にはプールに入って遊泳或いは歩行している人を全て一旦プールより出さねばならない。一方、スロープ付きのプールでは、車椅子乗用者や要介護者はスロープを利用してプールに入ることができるが、プールの勾配は安全性を考慮すると、緩くすることが望まれ、とくに車椅子乗用者の場合、車椅子に乗ったままスロープを利用してプールから上がれるようにするために、スロープの勾配は緩くする必要がある。しかしながら勾配を緩くすればする程スロープを設置するのに要するスペースが大きくなり、その分プールの有効利用面積が小さくなる。
【発明の開示】
【発明が解決しようとする課題】
【０００３】
本発明は、可動床を備えたプールにあっては、可動床を上昇させることなく、またスロープ程の大きな設置スペースを要することなく車椅子乗用者が車椅子に乗ったままでも或いはまた身体障害者等の要介護者がプールに容易に出入りすることができる昇降機を提供しようとするものである。
【課題を解決するための手段】
【０００４】
請求項１に係る発明は、プールに昇降可能に設置される昇降機であって、プールサイドに隣接して配置され、プールサイドから乗り込むことができる昇降床と、該昇降床をプールサイドからプール底まで、或いはプールに昇降可能に設置される可動床のレベルまで昇降させることのできる昇降手段を有することを特徴とする。
【０００５】
本発明で用いる昇降手段としては、可動床を昇降させるための既知の装置と同様の装置、例えば減速機付きモータにより回転駆動される巻胴と、該巻胴より繰り出されて昇降床を吊持するチェーンやワイヤー等の索条とよりなり、巻胴で索条を巻き取り或いは巻戻すことにより昇降床を昇降させるようにしたもの、減速機付きモータにより上下方向に循環駆動され、昇降床を連結した無端状のチェーンやワイヤー等の索条よりなり、索条を循環駆動させることにより昇降床を昇降させるようにしたもの、昇降床を昇降させるエア又は油圧シリンダーよりなり、ピストンロッドの進退により昇降床を昇降させるようにしたものなどを例示することができる。
【０００６】
本発明の昇降床を可動床を備えたプールに設置する場合には、昇降床を可動床のレベルまで容易かつ確実に降下できるようにするため昇降床と可動床をともに数段階で同じレベルで停止できるようにしたり、可動床の位置レベルを例えば可動床の昇降装置のエンコーダから読取って昇降床の昇降手段を制御できるようにするとよい。
【０００７】
請求項２に係る発明は、請求項１に係る発明において、昇降床には、その周りに囲いを設け、囲いには少なくとも一箇所に開閉可能な出入口を設けたことを特徴とする。
【発明の効果】
【０００８】
請求項１に係る発明によると、車椅子乗用者が車椅子に乗ったまま或いは身体障害者等の要介護者がプールサイドから昇降床に乗り込むことにより、或いはその逆に昇降床からプールサイドに移ることによりプールに容易に出入りすることができ、また昇降床の設置スペースは少なくてすむから、昇降機をプール内に設置する場合には、プールの有効利用面積の減少を抑えることができ、また昇降機をプールサイド内に設置する場合には、プールサイドの施工を容易にし、施工コストを抑えることができる。
【０００９】
請求項２に係る発明によると、車椅子乗用者や要介護者或いはその付添い人が昇降床から脱落する危険性を防ぐことができる。
【発明を実施するための最良の形態】
【００１０】
以下、本発明の実施形態について図面により説明する。
図１は、昇降可能な図示しない可動床を備え、コーナ近くのプール縁に凹所１を形成して該凹所内にプール縁より車椅子が乗り入れることのできる昇降可能な昇降床２を配置したプールの一部を示すもので、昇降床２の両側にはフェンス状の囲い３が、前面には観音開き状に開閉する内扉状の出入口４がそれぞれ取外し可能に取付けられている。
【００１１】
昇降床２と共に昇降機を構成し、昇降床２を昇降させる昇降手段は、図２に示すように、上下に軸支したコロ５を縦向きのレール６に嵌合させて昇降可能に支持されるベース７と、コロ５の上下においてベース７に連結される無端状のチェーンよりなる索条８と、索条８が掛けられるガイド用のスプロケット９ａ、９ｂ、９ｃ及び索条８にテンションを掛けるスプロケット９ｄと、索条８を循環駆動させる駆動用のスプロケット１１と、スプロケット１１を正或いは逆方向に回転駆動する減速機付きモータ１２（図１参照）よりなり、昇  降床２はベース７にボルト１３により連結され、ボルト１３を捩込んだり、逆に緩める方向に回すことにより昇降床２とベース７との間隔が変えられるようにしてある。図中、１４は昇降床２に取付けられる脚で、下端にはコロ１５が取付けられ、コロ１５がプール床１６に当たって更に昇降床２が降下すると、脚下側部が図２の一転鎖線で示すように屈折するようになっている。
【００１２】
また、１８はプールに昇降可能に設置される可動床で、該可動床１８を昇降させる昇降装置は、上述の昇降手段と同様に構成され、駆動用のスプロケットの駆動軸の回転数をエンコーダで読取ることにより可動床１４の位置レベルを検出できるようにしてあり、コントロールボックスの手動操作部材、例えば押しボタンを操作して上述する昇降手段の減速機付きモータを起動するときには、同じくスプロケット１１の駆動軸１０の回転数がエンコーダで読取られ、該エンコーダで読取った昇降床２の位置レベルが可動床１８の位置レベルと合致したとき、コントロールボックス内の制御装置（図示しない）が昇降手段の減速機付きモータに制御信号を出力して該モータを停止させるようになっている。
【００１３】
本装置は以上のように構成され、ベース７が上端位置に達したとき、昇降床２がプール縁と同じレベルとなるようにボルト１３による調整を行っておく。その後、昇降床２がプール縁と同じレベルにあるときに車椅子乗用者は、プール縁より昇降床２に車椅子ごと乗り入れる。ついでプール縁にあるコントロールボックスの押しボタンをＯＮ操作すると、減速機付きモータが起動し、昇降床２がゆっくりと降下する。降下に伴ってエンコーダがスプロケット１１の駆動軸１０の回転数を読み取り、制御装置に出力する。制御装置はこれより昇降床２の位置レベルを求め、図２の一転鎖線で示すように可動床１４の位置レベルと合致したときモータを停止させる。停止後、昇降床２から可動床１８へ乗り移りが行われる。プールから出るときには、出入口４を開き、可動床１８から昇降床２に乗り移る。その後、出入口４を閉じ、ついで誰かにコントロールボックスの押しボタンを操作してもらって減速機付きモータを起動する。これにより昇降床２が徐々に上昇し、プール縁と同じレベルの上限位置に達した段階で停止する。停止後、昇降床２からプール縁への乗り移りが行われる。
【００１４】
上記実施形態は、可動床を備えたプールに適用した例について示したが、可動床を有しない水深の浅いプールにも同様にして適用することができる。
この場合、減速機付きモータは、昇降床が下限位置に達したとき停止するか、プールの水深に合致したレベルまで降下したとき制御装置からの出力により停止するように構成される。
【産業上の利用可能性】
【００１５】
本発明の昇降機は、プール、ことに可動床を備えたプールに好適に使用することができる。
【図面の簡単な説明】
【００１６】
【図１】本発明に係る車椅子用昇降床を備えたプールの要部の平面図。
【図２】本発明に係る車椅子用昇降機の正面図。
【符号の説明】
【００１７】
１・・凹所
２・・昇降床
３・・囲い
４・・出入口
５、１５・・コロ
６・・レール
７・・ベース
８・・索状
９ａ、９ｂ、９ｃ・・ガイド用のスプロケット
９ｄ・・テンション用のスプロケット
１０・・駆動軸
１１・・駆動用のスプロケット
１２・・減速機付きモータ
１３・・ボルト
１４・・脚
１６・・プール床
１８・・可動床
【図１】
2005273356.tif 000003
【図２】
2005273356.tif 000004